(57)【要約】【課題】プラスチックシート製の箱の内部に収容されていた容器を、その箱に差込み起立させる差込穴の開封補助線としてミシン目を形成するにあたり、差込穴の開口時には容易にミシン目を破断し、開封補助線に沿って開封できるようにする。【解決手段】箱３の内部に収容されていた容器２ａ、２ｂを差込み起立させることができる差込穴４を該箱３に開口する開封補助線１０Ａが設けられているプラスチックシート製の容器起立機能付き箱３であって、開封補助線１０Ａとして、つなぎ部の長さがプラスチックシートの厚さ以下であるミシン目が形成されている。【選択図】図１Ａ
2007008575.tif 000002
【特許請求の範囲】
【請求項１】
箱の内部に収容されていた容器を差込み起立させることができる差込穴を該箱に開口する開封補助線が設けられているプラスチックシート製の容器起立機能付き箱であって、開封補助線として、つなぎ部の長さがプラスチックシートの厚さ以下であるミシン目が形成されている箱。
【請求項２】
プラスチックシートの厚さが０．２〜０．５ｍｍ、ミシン目の抜き部の長さが０．２ｍｍ以上、つなぎ部の長さが０．１〜０．５ｍｍである請求項１記載の箱。
【請求項３】
抜き部の長さが１．０ｍｍ以上のミシン目からなる開封開始部が、開封補助線に繋がるように設けられている請求項１又は２記載の箱。
【請求項４】
開封開始部のミシン目が、長さ０．２〜０．７ｍｍのつなぎ部を有する請求項３記載の箱。
【請求項５】
互いに異なる剤を内容物とする２以上の容器が請求項１〜４のいずれかに記載の箱に収容されている剤混合用製品。
【発明の詳細な説明】
【技術分野】
【０００１】
本発明は、容器を収容する箱であって、その箱内に収容されていた容器を箱の壁面に差込み、起立させることのできる容器起立機能付き箱に関する。
【背景技術】
【０００２】
二剤式毛髪化粧料として、例えば、酸化染料とアルカリ剤を含有する第１剤と、過酸化水素等の酸化剤を含有する第２剤とからなる二剤形式の染毛剤が知られている。また、アルカリ剤を含有する第１剤と過酸化水素を含有する第２剤からなる二剤形式のヘアブリーチも知られている。
【０００３】
この二剤形式毛髪化粧料には種々の製品形態のものがあり、例えば、第１剤と第２剤をそれぞれ別個の容器に収容し、それらの容器を一つの包装用の箱に収容したものが知られている。
【０００４】
二剤式毛髪化粧料では、使用時に第１剤と第２剤が混合される。両剤の混合方法としては、混合皿を使用する方法等もあるが、第２剤の容器内に第１剤を吐出し、そこで両剤を混合する方法が、別途混合皿を用意することが不要となるので好ましい。しかしながら、第１剤を収容する容器と第２剤を収容する容器は、通常、起立安定性に乏しく、第２剤の容器を手で保持しながら、第２剤の容器内に第１剤を吐出させることがなされている。
【０００５】
一方、製品を収容する紙製の箱であって、その製品を差込み、起立させ、陳列できるようにする孔をその箱に開口するため、箱の壁面にミシン目を設けた陳列兼用包装箱が提案されている（特許文献１）。
【０００６】
また、プラスチックシートから包装用の箱を作製できるように、プラスチックシートにミシン目を形成して折り曲げ加工を施す方法が提案されている（特許文献２）。透明又は半透明のプラスチックシート製の箱に製品を収容すると、箱の外側から中に収容されている製品の輪郭形状を確認することができるので好ましい。
【０００７】
そこで、二剤式毛髪化粧料の容器を収容する箱をプラスチックシート製とし、箱から取り出した容器を差込み、起立させる差込穴をその箱に開口できるように、箱の表面に開封補助線を形成することが考えられる。
【０００８】
【特許文献１】実公昭５７−７６１５号公報
【特許文献２】特開昭６４−４０３１７号公報
【発明の開示】
【発明が解決しようとする課題】
【０００９】
しかしながら、従来、プラスチックシートの折り曲げ加工で用いられていたミシン目や、紙製の箱に開口用に形成されていたミシン目をプラスチックシートに形成しても、プラスチックシートは板紙に比して延性があるため、ミシン目部分を指で押し込んでもミシン目のつなぎ部が延びて破断されず、差込穴を開口することができない。
【００１０】
これに対して、本発明は、プラスチックシート製の箱の内部に収容されていた容器を、その箱に差込み起立させる差込穴の開封補助線としてミシン目を形成するにあたり、差込穴の開口時には容易にミシン目を破断し、開封補助線に沿って開封できるようにすることを目的とする。
【課題を解決するための手段】
【００１１】
本発明者は、プラスチックシート製の箱に開口する差込穴の開封補助線としてミシン目を形成するにあたり、ミシン目のつなぎ部の長さをプラスチックシートの厚さ以下の微細なミシン目にすると、ミシン目部分を指で押し込むことによりミシン目が破断し、差込穴を開口できることを見出した。
【００１２】
即ち、本発明は、箱の内部に収容されていた容器を差込み起立させることができる差込穴を該箱に開口する開封補助線が設けられているプラスチックシート製の容器起立機能付き箱であって、開封補助線として、つなぎ部の長さがプラスチックシートの厚さ以下であるミシン目が形成されている箱を提供し、特に、その開封性容易を向上させた態様として、抜き部の長さが１．０ｍｍ以上、つなぎ部の長さが０．２〜０．７ｍｍのミシン目からなる開封開始部が、開封補助線に繋がるように設けられている態様を提供する。
【００１３】
また、本発明は、互いに異なる剤を内容物とする２以上の容器が上述の箱に収容されている剤混合用製品を提供する。
【発明の効果】
【００１４】
本発明の容器起立機能付き箱はプラスチックシートから形成されているが、そこに差込穴の開封補助線として形成されたミシン目は、つなぎ部の長さがプラスチックシートの厚さ以下である。そのため、ミシン目部分を指で押し込むことによりミシン目を破断し、差込穴を開口することができる。
【００１５】
特に、抜き部の長さが1.0ｍｍ以上、つなぎ部の長さが0.2〜0.7ｍｍのミシン目からなる開封開始部を開封補助線に繋がるように形成すると、開封開始部を容易に開封することができ、この開封開始部の開封に連続して開封補助線を開封することが可能となる。したがって、開封補助線のミシン目を強くすることにより、製品の流通過程では開封補助線が不要に開封されないようにしつつ、差込穴の開封時には、開封開始部から開封することにより開封補助線を開封し、差込穴を開口することが可能となる。
【００１６】
また、本発明の剤混合用製品によれば、互いに異なる剤を内容物とする２以上の容器が本発明の箱に収容されているので、箱から容器を取り出した後、差込穴を簡単に開口し、そこに一方の容器を差込み起立保持させることができる。したがって、他方の容器から起立保持させた容器に内容物を移すことにより、双方の剤の混合を手軽に行うことができる。
【発明を実施するための最良の形態】
【００１７】
以下、図面を参照しつつ本発明を詳細に説明する。なお、各図中、同一符号は、同一又は同等の構成要素を表している。
【００１８】
図１Ａは、本発明の一実施例の毛髪化粧品の箱であって、差込穴の開口前の斜視図、図１Ｂは、その開口後の斜視図、図１Ｃは、差込穴に容器を差し込み、起立させた状態の斜視図である。図２は、この箱に形成されている開封補助線の説明図である。
【００１９】
この毛髪化粧品１は、二剤式毛髪化粧料を構成する第１剤の容器２ａと第２剤の容器２ｂを、これらの容器２ａ、２ｂの起立機能付き箱３に収容したものである。
【００２０】
起立機能付き箱３は、好ましくは、厚さ０．２〜０．５ｍｍ、特に０．３〜０．４ｍｍのポリプロピレン、ポリエチレンテレフタレート等の透明又は半透明のプラスチックシートから形成され、その表面には商品説明や任意の絵柄等が印刷されている。
【００２１】
箱３の壁面には、容器２ａ、２ｂを該箱３から取り出した後、図１Ｃに示すように、一方の容器２ａ（２ｂ）を差込穴４に差込み、起立させられるように、差込穴４を開口するための開封補助線１０Ａが形成されている。なお、第１剤の容器２ａと第２剤の容器２ｂの外形が異なる場合であって、第２剤容器２ｂを染毛作業の際の混合吐出容器（アプリケーター）として使用する場合には、第２剤容器２ｂに第１剤の容器２ａを加えるので、差込穴４の形状は、第２剤の容器２ｂを起立させられるように形成することが好ましい。
【００２２】
開封補助線１０Ａは、図２に示すように、容器２ａの外周形状のほぼ全周に沿った円弧状のミシン目から形成されている。ミシン目は、そのつなぎ部１１の長さＬ1 が、このミシン目が形成されているプラスチックシートの厚さ以下であることを特徴としており、例えば、プラスチックシートが厚さ０．２〜０．５ｍｍの場合、つなぎ部１１の長さＬ1 は、０．１〜０．５ｍｍとする。このようにつなぎ部１１の長さを短くすることで、開封補助線１０Ａを指先で押し込むことによりつなぎ部１１を破断し、開封することが可能となる。これに対して、つなぎ部１１の長さＬ1 がプラスチックシートの厚さを超えると、開封補助線１０Ａを押し込んでも、つなぎ部１１が延びて曲がるだけで破断せず、差込穴４を開口することができない。また、つなぎ部１１の長さＬ1 を短くすることで、破断後のミシン目のバリが充分に小さくなり、そこに指先が触れても痛さを与えないものとなる。
【００２３】
一方、ミシン目の抜き部１２は、短すぎると開封補助線１０Ａの開封に強い力が必要となるので、プラスチックシートの厚さ以上とすることが好ましいが、長すぎると、開封補助線１０Ａが過度に開封し易くなり、毛髪化粧品１の流通時の外力により不要に開封するおそれが生じる。そこで、プラスチックシートが厚さ０．２〜０．５ｍｍの場合、抜き部１２の長さＬ2 は０．２ｍｍ以上とすることが好ましく、０．２〜１．０ｍｍとすることがより好ましい。
【００２４】
なお、このような微細なつなぎ部Ｌ1 と抜き部Ｌ2 からなるミシン目は、所謂、マイクロミシン刃を用いたミシン加工により形成することができる。
【００２５】
この箱３には、開封補助線１０Ａに繋がるように開封開始部２０が形成されている。開封開始部２０は、開封補助線１０Ａを形成するミシン目に対し、つなぎ部２１の長さＬ3は同程度であるが、抜き部２２の長さＬ4 が長いミシン目からなり、開封補助線１０Ａから半円状に突出するように設けられている。この開封開始部２０のミシン目としては、例えば、つなぎ部２１の長さＬ3 を０．２〜０．７ｍｍ、抜き部２２の長さＬ4 を１ｍｍ以上、特に５〜２０ｍｍとする。このように抜き部２２の長いミシン目を使用することにより、開封開始部２０を指先で押し込むことで、容易に開封開始部２０を開封することが可能となる。開封開始部２０の開封は、これに繋がる開封補助線１０Ａの開封を誘導する。したがって、開封開始部２０を設けることにより、これを設けない場合に比して、開封補助線１０Ａのミシン目の強さを強く設定することができ、製品の流通過程で開封補助線１０Ａが不要に開封することを防止できる。
【００２６】
なお、開封開始部２０のミシン目で囲まれた領域２３は、指先で押し込める程度の広さがあればよい。この領域２３には、開封開始部２０の視認性を向上させるため、エンボス加工又は押罫加工を施すことが好ましく、また印刷により開封開始部を表示してもよい。
【００２７】
開封補助線１０Ａで囲まれた領域の開封開始部２０と反対側の端部には折れ線３０が形成されている。これにより、開封開始部２０の視認性を相対的に向上させることができる。さらに差込穴４の開口後も開封補助線１０Ａで囲まれた領域が箱３の壁面から切り離されず、箱３の内側に折り込まれたフラップ５となるので、差込穴４に差し込まれた容器２ａ（２ｂ）がフラップ５で差込穴４の縁部に押し付けられ、また容器２ａ（２ｂ）の底部がフラップ５側に滑ることが防止され、容器２ａ（２ｂ）の起立安定性を向上させることができる。特に、フラップ５の寸法を調整することにより、折り込まれたフラップ５が箱３の天面と底面との間にこれらの間隔を若干押し広げて嵌まり込むようにすると、容器２ａ（２ｂ）の起立安定性をいっそう向上させることができる。また、差込穴４の開口時のゴミの発生を防止し、あるいは減らすことができる。
【００２８】
本発明の箱は種々の態様をとることができる。
【００２９】
例えば、図３の開封補助線１０Ｂは、図２の円弧状の開封補助線１０Ａ上で、差込穴４の中心を回転中心として開封開始部２０を約１／４回転させた位置に、長さ５〜２０ｍｍの長尺の抜き部１３を形成したものである。この位置は、開封開始部２０から始められた開封補助線１０Ｂの開封の向きが、矢印のように大きく変わる部分である。したがって、ここに長尺の抜き部１３を形成しておくことにより、開封補助線１０Ｂの開封をよりスムーズに行うことが可能となる。
【００３０】
図４の開封補助線１０Ｃは、図３の開封補助線１０Ｂに対してさらに長尺の抜き部１３の形成箇所を増やしたものである。このように、シート材料や厚み等に応じて開封補助線の開封性を高めるため、適宜、適宜長尺の抜き部１３を形成することができる。また長尺の抜き部間に前記つなぎ部を適宜設けることで、流通時の誤開封を防ぐことができる。
【００３１】
図５の開封補助線１０Ｄは、図４の開封補助線１０Ｃにおいて、該開封補助線１０Ｃに繋がる半円状に突出したミシン目からなる開封開始部２０を省略したものである。このように半円状に突出した開封開始部２０を省略しても、開封補助線１０Ｄ上に長尺の抜き部１３が形成されている場合には、そこを開封開始部として機能させることができる。したがって、開封補助線１０Ｄ上の任意の場所を指で押し込むことにより、容易に開封補助線１０Ｄを開封し、差込穴４を開口することが可能となる。
【００３２】
本発明の剤混合用製品は、種々の実施例形態の箱に、互いに異なる剤を内容物とする２以上の容器を収容し、それらの剤の混合時に箱を利用できるようにしたものである。このような内容物としては、第１剤と第２剤からなる二剤式の毛髪化粧料、塗料、接着剤等をあげることができ、特に、好ましい例として二剤式毛髪化粧料をあげることができる。
【００３３】
剤混合用製品の使用時には、剤混合用製品の箱から容器を取り出し、開封補助線に沿って切り裂くことにより箱の外壁に差込穴を開口し、開口した差込穴に取り出した容器の一方を起立保持させ、他方の容器の内容物を起立保持させた容器に入れ、双方の剤を混合する。こうして一つの箱に収容された二剤を手軽に混合することが可能となる。
【産業上の利用可能性】
【００３４】
本発明の箱は、種々の容器の包装用の箱として使用することができ、特に、二剤式毛髪化粧料容器の箱として有用である。この他、本発明の箱は、箱に収容されていた容器を店頭等で陳列するための陳列兼用包装箱としても使用することができる。
【図面の簡単な説明】
【００３５】
【図１Ａ】本発明の一実施例の毛髪化粧品の箱であって、差込穴の開口前の斜視図である。
【図１Ｂ】図１Ａの箱の、差込穴の開口後の斜視図である。
【図１Ｃ】図１Ａの箱の差込穴に容器を差し込み、起立させた状態の斜視図である。
【図２】図１Ａの箱の開封補助線の説明図である。
【図３】他の開封補助線の説明図である。
【図４】他の開封補助線の説明図である。
【図５】他の開封補助線の説明図である。
【符号の説明】
【００３６】
１    毛髪化粧品
２ａ、２ｂ    容器
３    箱
４    差込穴
５    フラップ
１０Ａ  開封補助線
１１    ミシン目のつなぎ部
１２    ミシン目の抜き部
１３    ミシン目の長尺の抜き部
２０    開封開始部
２１    ミシン目のつなぎ部
２２    ミシン目の抜き部
２３    開封開始部で囲まれた領域
３０    折れ線
【図１Ａ】
2007008575.tif 000003
【図１Ｂ】
2007008575.tif 000004
【図１Ｃ】
2007008575.tif 000005
【図２】
2007008575.tif 000006
【図３】
2007008575.tif 000007
【図４】
2007008575.tif 000008
【図５】
2007008575.tif 000009